(57)【要約】【課題】測定対象光についての光学的パラメータを正確に測定可能な測定処理の条件を設定可能とする。【解決手段】光出力装置のリフレッシュレートと同期しているタイミング信号を取得してタイミング信号に基づいて特定される周期（時点ｔｔ１〜ｔｔ２の時間Ｔｔの周期）の始点から光測定装置に測定対象光が入射する時点ｔｄａまでの時間Ｔｄａ（第１の時間長）を特定する第１の処理と、予め規定された加算時間算出方法に従って算出した時間Ｔｔｍ（加算時間）を時間Ｔｄａに加算する加算処理を実行して時間Ｔｗａ（第２の時間長）を特定する第２の処理とを実行し、  タイミング信号が出力された時点ｔｔｎ１から時間Ｔｗａが経過した時点ｔｍ１ａを測定処理の開始点として、タイミング信号に基づいて特定される周期のＮ＝２周期の時間Ｔｍに亘って光学的パラメータの値を測定するように測定処理の条件を設定する。【選択図】図３
2019100868.tif 000002
【特許請求の範囲】
【請求項１】
光出力装置から所定のリフレッシュレートで出力される測定対象光を受光して当該測定対象光についての予め規定された光学的パラメータの値を測定可能に構成された光測定装置による測定処理の条件を設定する測定条件設定方法であって、
前記リフレッシュレートと同期しているタイミング信号を前記光出力装置から取得して当該タイミング信号に基づいて特定される周期の始点から前記光測定装置に前記測定対象光が入射する時点までの第１の時間長を特定する第１の処理と、
予め規定された加算時間算出方法に従って算出した加算時間を前記第１の時間長に加算する加算処理、および予め規定された減算時間算出方法に従って算出した減算時間を前記第１の時間長から減算する減算処理のいずれか予め規定された一方を実行して第２の時間長を特定する第２の処理とを実行し、
前記タイミング信号が出力された時点から前記第２の時間長が経過した時点を前記測定処理の開始点として、当該タイミング信号に基づいて特定される周期のＮ周期（Ｎは、予め規定された自然数）に亘って前記光学的パラメータの値を測定するように当該測定処理の条件を設定する測定条件設定方法。
【請求項２】
前記第２の処理において前記加算処理を実行するときに、前記加算時間算出方法として、前記タイミング信号に基づいて特定される周期の（１／Ｍ）の時間長（Ｍは、２以上の予め規定された自然数）を前記加算時間として算出する請求項１記載の測定条件設定方法。
【請求項３】
前記第２の処理において前記減算処理を実行するときに、前記減算時間算出方法として、前記タイミング信号に基づいて特定される周期の（１／Ｍ）の時間長（Ｍは、２以上の予め規定された自然数）を前記減算時間として算出する請求項１記載の測定条件設定方法。
【請求項４】
前記タイミング信号に基づいて特定される周期の（１／Ｍ）の時間長として当該タイミング信号に基づいて特定される周期の（１／２）の時間長を算出する請求項２または３記載の測定条件設定方法。
【請求項５】
光出力装置から所定のリフレッシュレートで出力される測定対象光を受光して受光量に応じた検出信号を出力する受光部と、
前記検出信号に基づいて前記測定対象光についての予め規定された光学的パラメータの値を算出する処理部とを備えた光測定装置であって、
前記処理部は、
前記リフレッシュレートと同期しているタイミング信号を前記光出力装置から取得して当該タイミング信号に基づいて特定される周期の始点から前記光測定装置に前記測定対象光が入射する時点までの第１の時間長を特定する第１の処理と、
予め規定された加算時間算出方法に従って加算時間を算出して当該加算時間を前記第１の時間長に加算する加算処理、および予め規定された減算時間算出方法に従って減算時間を算出して当該減算時間を前記第１の時間長から減算する減算処理のいずれか予め規定された一方を実行して第２の時間長を特定する第２の処理とを実行し、
前記タイミング信号が出力された時点から前記第２の時間長が経過した時点を前記測定処理の開始点として、当該タイミング信号に基づいて特定される周期のＮ周期（Ｎは、予め規定された自然数）に亘って前記光学的パラメータの値を測定するように当該測定処理の条件を設定し、当該Ｎ周期分の前記検出信号に基づいて前記光学的パラメータの値を測定する光測定装置。
【発明の詳細な説明】
【技術分野】
【０００１】
本発明は、光出力装置から出力される測定対象光を受光して測定対象光についての光学的パラメータの値を測定可能な光測定装置による測定処理の条件を設定する測定条件設定方法、およびそのような測定条件設定方法に従って設定された条件に従って測定処理を実行可能な光測定装置に関するものである。
【背景技術】
【０００２】
例えば、下記の特許文献には、ＣＲＴ管面（ＣＲＴ表示器における表示画面）の発光色や輝度などの光学的パラメータについての測定処理を実行可能な光測定装置の発明が開示されている。この光測定装置による測定処理に際しては、まず、測定対象のＣＲＴに向けて光測定装置を配置すると共に、信号発生器からＣＲＴに測定用画像信号を供給させてＣＲＴに測定用画像を表示させる。この際には、測定用画像の表示に伴ってＣＲＴから出射された光が光測定装置の光電変換素子に入射し、その受光量に応じた電気信号が光電変換素子から出力される状態となる。
【０００３】
一方、この光測定装置では、測定処理に先立ち、上記の信号発生器から取得した垂直同期信号に基づいて走査周期（測定用画像の描画周期：リフレッシュレート）が特定され、特定された周期の１周期分の時間長が積分時間（測定時間）として規定される（測定処理の条件の設定）。また、測定処理時には、光電変換素子からの電気信号に基づいて特定される光量が、垂直同期信号の出力時点を始点とする上記の積分時間に亘って積分され、その結果に基づいて発光色や輝度が演算される。これにより、走査周期が相違する各種の測定環境（例えば、商用交流が５０Ｈｚの環境および６０Ｈｚの環境における相違）において、それぞれの走査周期に対応した積分時間に亘って積算された光量に基づいて光学的パラメータが求められる。
【先行技術文献】
【特許文献】
【０００４】
【特許文献１】特許第２９２３９８１号公報（第３−８頁、第１−１１図）
【発明の概要】
【発明が解決しようとする課題】
【０００５】
ところが、上記の特許文献に開示されている光測定装置およびその測定方法には、以下のような解決すべき課題が存在する。具体的には、上記の光測定装置および測定方法では、垂直同期信号に基づいて特定される走査周期の時間長と等しい時間長を積分時間として規定して光量の積分が行われるように測定処理の条件を設定し、設定した条件に従って測定処理を実行して発光色や輝度などの光学的パラメータを測定する構成・方法が採用されている。
【０００６】
この場合、この種の装置および測定方法では、所望の光学的パラメータについて、表示画面の左上、右上、中央、左下および右下などの予め規定された部位（以下、「測定対象部位」ともいう）毎に局所的に測定する構成・方法が一般的となっている。このため、例えば測定用画像を表示させた状態のＣＲＴからの光を測定対象光とする前述のような測定処理では、走査周期の１周期内において陰極線が測定対象部位に走査されて測定対象部位が発光しているときにその光が光電変換素子によって受光されて、陰極線が測定対象部位に走査されていないとき（測定対象部位以外の部位が発光しているとき）に出射された光が光電変換素子によって受光されない状態となる。
【０００７】
具体的には、例えば、表示画面の左上側から右下に向かって陰極線が走査される構成のＣＲＴにおける表示画面の左上側の部位を測定対象部位とする測定処理では、図７に示すように、垂直同期信号の出力時点を時点ｔｔ１，ｔｔ２・・とし、かつ走査周期の１周期の時間長を時間Ｔｔとしたときに、垂直同期信号が出力された時点ｔｔ１から、陰極線が測定対象部位に走査され始める時点ｔｄａ１までの時間Ｔｄａ１や、陰極線が測定対象部位に走査され終えた時点ｔｄａ２から、その走査周期の終点（次の垂直同期信号が出力される時点）である時点ｔｔ２までの時間Ｔｄａ２においては、ＣＲＴからの光が光電変換素子によって受光されない状態となり、時点ｔｄａ１から時点ｔｄａ２までの間だけＣＲＴからの光が受光されることとなる。
【０００８】
また、表示画面の右下側の部位を測定対象部位とした測定処理では、図８に示すように、垂直同期信号が出力された時点ｔｔ１から、陰極線が測定対象部位に走査され始める時点ｔｄｂ１までの時間Ｔｄｂ１や、陰極線が測定対象部位に走査され終えた時点ｔｄｂ２から、その走査周期の終点（次の垂直同期信号が出力される時点）である時点ｔｔ２までの時間Ｔｄｂ２においては、ＣＲＴからの光が光電変換素子によって受光されない状態となり、時点ｔｄｂ１から時点ｔｄｂ２までの間だけＣＲＴからの光が受光されることとなる。
【０００９】
なお、図７，８や、後に参照する図３〜６では、測定対象部位毎の光の検出タイミングと走査周期との関係についての理解を容易とするために、走査周期の始点から測定対象部位において光が検出され始める時点までの時間長、および測定対象部位において光が検出され終えた時点から走査周期の終点までの時間長や、測定対象部位についての光が検出されている時間長（光量レベルが高くなっている時間長）の比率を実際の比率とは異なる比率で図示している。
【００１０】
このように、ＣＲＴからの光についての光学的パラメータの測定処理においては、垂直同期信号が出力された直後に測定対象の光が光電変換素子によって受光される訳ではなく、素直同期信号の出力時点から光電変換素子によって測定対象の光が受光されるまでの時間が測定対象部位毎に相違する。したがって、上記の特許文献に開示の光測定装置およびその測定方法では、測定対象部位の相違によって走査周期内のいずれの時点において測定対象部位が発光したとしても、その光の光量を積分することができるように、垂直同期信号に基づいて特定される走査周期に合わせて光量の積分時間を予め規定する構成・方法が採用されている。
【００１１】
しかしながら、測定対象光を出射するＣＲＴは、温度変化や、供給電力の電圧値の変動などに起因して走査周期が逐次変化することがある。このため、測定処理に先立って走査周期を特定して積分時間を規定する上記の光測定装置およびその測定方法では、積分時間を規定するために特定した走査周期の時間長と、測定処理の実行時における走査周期の時間長とが相違する状態となることがある。この結果、規定した積分時間内に他の走査周期において出射された光の光量が検出されて積分されたり、規定した積分時間内に測定対象部位からの光の出射が完了せずに、その積分時間内において積分されるべき光量の一部が積分されなかったりする事態が生じることがある。
【００１２】
具体的には、図７，８に示すように、測定処理に先立ち、時点ｔｔ１，ｔｔ２に出力された垂直同期信号に基づいて走査周期の１周期の時間長を時間Ｔｔと特定し、その２倍の長さである時間Ｔｍを積分時間として規定したものとする。次いで、例えば表示画面の左上側を測定対象部位とする測定処理においては、図７に示すように、信号発生器から垂直同期信号が出力された時点ｔｔｎ１において光量の積分が開始され、時点ｔｔｎ１から時間Ｔｍが経過したときに光量の積分を終了する。
【００１３】
この際に、積分時間を時間Ｔｍと規定したときの走査周期の時間Ｔｔと測定処理時の走査周期の時間長とが一致している場合、すなわち、積分時間の規定時と測定処理時とで走査周期が変動していない場合には、上記の時間Ｔｍ内に、時点ｔｔｎ１から時点ｔｔｎ２までの時間Ｔｔ内に測定対象部位から出射された光、および時点ｔｔｎ２から時点ｔｔｎ３（時間Ｔｍの終点）までの時間Ｔｔ内に測定対象部位から出射された光だけが光電変換素子によって受光されてその光量が積分される。
【００１４】
しかしながら、積分時間の規定時における走査周期よりも測定処理時の走査周期の方が時間Ｔｇだけが短周期となり、測定対象部位からの光の出射タイミングが、積分時間の規定時よりも早まったときには、走査周期の２周期よりも時間Ｔｍが長くなる。かかる場合には、同図に一点鎖線で示すように、時点ｔｔｎ３ａにおいて出力される同期信号と時点ｔｔｎ４ａにおいて出力される同期信号との間の走査終期内に測定対象部位から出射される光の一部（タイミングの早まりが大きいときには、その光のすべて）の光量が積分の対象となってしまうため、積分結果に基づいて演算される光学的パラメータの値が不正確となってしまう。
【００１５】
また、例えば表示画面の右下側を測定対象部位とする測定処理においても、図８に示すように、信号発生器から垂直同期信号が出力された時点ｔｔｎ１において光量の積分が開始され、時点ｔｔｎ１から時間Ｔｍが経過したときに光量の積分を終了する。
【００１６】
この際に、積分時間の規定時における走査周期よりも測定処理時の走査周期の方が時間Ｔｇだけが長周期となり、測定対象部位からの光の出射タイミングが、積分時間の規定時よりも遅れたときには、走査周期の２周期よりも時間Ｔｍが短くなる。かかる場合には、同図に二点鎖線で示すように、時点ｔｔｎ２ｂにおいて出力される同期信号と時点ｔｔｎ３ｂにおいて出力される同期信号との間の走査周期内に測定対象部位から出射される光の一部（タイミングの早まりが大きいときには、その光のすべて）が時間Ｔｍ内に光電変換素子に入射しないため、積分の対象から除外されてしまう結果、積分結果に基づいて演算される光学的パラメータの値が不正確となってしまう。
【００１７】
このように、上記の特許文献に開示の光測定装置およびその測定方法では、積分時間（測定時間）を規定したときの走査周期と、測定処理時における走査周期とが相違する状態となったときに、光学的パラメータの値を正確に演算することができないという問題点が存在する。なお、ＣＲＴからの光を測定対象光とする例について説明したが、ＣＲＴ以外の各種の光出力装置（液晶表示器およびレーザプロジェクタなどの各種表示器や、蛍光管やＬＥＤ等の各種光源を有する照明器具など）においても、それらから出力される光のリフレッシュレート（走査周期や点灯周期など）の変動に伴い、上記のＣＲＴからの光の測定時と同様の問題が生じることとなる。
【００１８】
本発明は、かかる問題点に鑑みてなされたものであり、光出力装置から所定のリフレッシュレートで出力される測定対象光についての光学的パラメータを正確に測定可能な測定処理の条件を設定し得る測定条件設定方法、およびそのような測定条件設定方法に従って測定処理の条件を設定して測定対象光についての光学的パラメータを測定し得る光測定装置を提供することを主目的とする。
【課題を解決するための手段】
【００１９】
上記目的を達成すべく、請求項１記載の測定条件設定方法は、光出力装置から所定のリフレッシュレートで出力される測定対象光を受光して当該測定対象光についての予め規定された光学的パラメータの値を測定可能に構成された光測定装置による測定処理の条件を設定する測定条件設定方法であって、前記リフレッシュレートと同期しているタイミング信号を前記光出力装置から取得して当該タイミング信号に基づいて特定される周期の始点から前記光測定装置に前記測定対象光が入射する時点までの第１の時間長を特定する第１の処理と、予め規定された加算時間算出方法に従って算出した加算時間を前記第１の時間長に加算する加算処理、および予め規定された減算時間算出方法に従って算出した減算時間を前記第１の時間長から減算する減算処理のいずれか予め規定された一方を実行して第２の時間長を特定する第２の処理とを実行し、前記タイミング信号が出力された時点から前記第２の時間長が経過した時点を前記測定処理の開始点として、当該タイミング信号に基づいて特定される周期のＮ周期（Ｎは、予め規定された自然数）に亘って前記光学的パラメータの値を測定するように当該測定処理の条件を設定する。
【００２０】
また、請求項２記載の測定条件設定方法は、請求項１記載の測定条件設定方法において、前記第２の処理において前記加算処理を実行するときに、前記加算時間算出方法として、前記タイミング信号に基づいて特定される周期の（１／Ｍ）の時間長（Ｍは、２以上の予め規定された自然数）を前記加算時間として算出する。
【００２１】
さらに、請求項３記載の測定条件設定方法は、請求項１記載の測定条件設定方法において、前記第２の処理において前記減算処理を実行するときに、前記減算時間算出方法として、前記タイミング信号に基づいて特定される周期の（１／Ｍ）の時間長（Ｍは、２以上の予め規定された自然数）を前記減算時間として算出する。
【００２２】
さらに、請求項４記載の測定条件設定方法は、請求項２または３記載の測定条件設定方法において、前記タイミング信号に基づいて特定される周期の（１／Ｍ）の時間長として当該タイミング信号に基づいて特定される周期の（１／２）の時間長を算出する。
【００２３】
また、請求項５記載の光測定装置は、光出力装置から所定のリフレッシュレートで出力される測定対象光を受光して受光量に応じた検出信号を出力する受光部と、前記検出信号に基づいて前記測定対象光についての予め規定された光学的パラメータの値を算出する処理部とを備えた光測定装置であって、前記処理部は、前記リフレッシュレートと同期しているタイミング信号を前記光出力装置から取得して当該タイミング信号に基づいて特定される周期の始点から前記光測定装置に前記測定対象光が入射する時点までの第１の時間長を特定する第１の処理と、予め規定された加算時間算出方法に従って加算時間を算出して当該加算時間を前記第１の時間長に加算する加算処理、および予め規定された減算時間算出方法に従って減算時間を算出して当該減算時間を前記第１の時間長から減算する減算処理のいずれか予め規定された一方を実行して第２の時間長を特定する第２の処理とを実行し、前記タイミング信号が出力された時点から前記第２の時間長が経過した時点を前記測定処理の開始点として、当該タイミング信号に基づいて特定される周期のＮ周期（Ｎは、予め規定された自然数）に亘って前記光学的パラメータの値を測定するように当該測定処理の条件を設定し、当該Ｎ周期分の前記検出信号に基づいて前記光学的パラメータの値を測定する。
【発明の効果】
【００２４】
請求項１記載の測定条件設定方法、および請求項５記載の光測定装置では、光出力装置におけるリフレッシュレートと同期しているタイミング信号を取得してタイミング信号に基づいて特定される周期の始点から光測定装置に測定対象光が入射する時点までの第１の時間長を特定する第１の処理と、予め規定された加算時間算出方法に従って算出した加算時間を第１の時間長に加算する加算処理、および予め規定された減算時間算出方法に従って算出した減算時間を第１の時間長から減算する減算処理のいずれか予め規定された一方を実行して第２の時間長を特定する第２の処理とを実行し、タイミング信号が出力された時点から第２の時間長が経過した時点を測定処理の開始点として、タイミング信号に基づいて特定される周期のＮ周期に亘って光学的パラメータの値を測定するように測定処理の条件を設定する。
【００２５】
したがって、請求項１記載の測定条件設定方法、および請求項５記載の光測定装置によれば、タイミング信号の出力時点から、第２の時間長が経過した時点において測定処理（光量の積算処理等）を開始することで、測定処理の時間長（積分時間の時間長等）を特定するときの光出力装置のリフレッシュレートと、測定処理時における光出力装置のリフレッシュレートとが相違する状態になったとしても、Ｎ周期の次の周期で出力される測定対象光が測定されたり（Ｎ周期の次の周期で出力される測定対象光の光量が積算されたり）、Ｎ周期内で出力される測定対象光が測定されなかったり（Ｎ周期内で出力される測定対象光の光量が積算されなかったり）して、測定される光学的パラメータの値が不正確となる事態を好適に回避して正確な値を測定することができる。
【００２６】
また、請求項２記載の測定条件設定方法では、第２の処理において加算処理を実行するときに、加算時間算出方法として、タイミング信号に基づいて特定される周期の（１／Ｍ）の時間長を加算時間として算出する。したがって、請求項２記載の測定条件設定方法、およびそのような測定条件設定方法に従って測定処理の条件を設定する光測定装置によれば、加算時間を容易に算出することができるため、第２の時間長を短時間で特定することができる。また、光測定装置において加算時間を演算する構成を採用したときには、処理部が第２の時間長を特定するのに要する負担が小さいため、他の処理と並行して第２の処理を実行するために高性能な処理部を搭載しなくても測定処理の条件を設定できる結果、光測定装置の製造コストの高騰を回避することができる。
【００２７】
また、請求項３記載の測定条件設定方法では、第２の処理において減算処理を実行するときに、減算時間算出方法として、タイミング信号に基づいて特定される周期の（１／Ｍ）の時間長を減算時間として算出する。したがって、請求項３記載の測定条件設定方法、およびそのような測定条件設定方法に従って測定処理の条件を設定する光測定装置によれば、減算時間を容易に算出することができるため、第２の時間長を短時間で特定することができる。また、光測定装置において減算時間を演算する構成を採用したときには、処理部が第２の時間長を特定するのに要する負担が小さいため、他の処理と並行して第２の処理を実行するために高性能な処理部を搭載しなくても測定処理の条件を設定できる結果、光測定装置の製造コストの高騰を回避することができる。
【００２８】
さらに、請求項４記載の測定条件設定方法では、タイミング信号に基づいて特定される周期の（１／Ｍ）の時間長としてタイミング信号に基づいて特定される周期の（１／２）の時間長を算出する。したがって、請求項４記載の測定条件設定方法、およびそのような測定条件設定方法に従って測定処理の条件を設定する光測定装置によれば、測定処理の時間長（積分時間の時間長等）を特定するときの光出力装置のリフレッシュレートと、測定処理時における光出力装置のリフレッシュレートとが同程度のときに、第１の時間長の長短に拘わらず、測定処理の始点からタイミング信号に基づいて特定される周期の中程で受光部に測定対象光が入射するように測定処理の条件が設定される。これにより、Ｎ周期の次の周期で出力される測定対象光が測定されたり、Ｎ周期内で出力される測定対象光が測定されなかったりする状態にならない「リフレッシュレートの変動許容量」に関し、測定処理の時間長を特定したときのリフレッシュレートよりも短周期となったとき、および測定処理の時間長を特定したときのリフレッシュレートよりも長周期となったときの双方について同程度の量が存在する条件が設定されるため、測定される光学的パラメータの値が不正確となる可能性を十分に低減することができる。
【図面の簡単な説明】
【００２９】
【図１】光測定装置１の構成を示す構成図である。
【図２】レーザプロジェクタＬＰからのレーザ光Ｌによる画像の表示範囲Ａと測定対象部位としての位置Ｐａ〜Ｐｃとの関係について説明するための説明図である。
【図３】レーザプロジェクタＬＰからのタイミング信号Ｓｔと光測定装置１による測定周期との関係の一例について説明するための説明図である。
【図４】レーザプロジェクタＬＰからのタイミング信号Ｓｔと光測定装置１による測定周期との関係の他の一例について説明するための説明図である。
【図５】レーザプロジェクタＬＰからのタイミング信号Ｓｔと光測定装置１による測定周期との関係のさらに他の一例について説明するための説明図である。
【図６】レーザプロジェクタＬＰからのタイミング信号Ｓｔと光測定装置１による測定周期との関係のさらに他の一例について説明するための説明図である。
【図７】信号発生器からの垂直同期信号と光測定装置による測定周期との関係の一例について説明するための説明図である。
【図８】信号発生器からの垂直同期信号と光測定装置による測定周期との関係の他の一例について説明するための説明図である。
【発明を実施するための形態】
【００３０】
以下、光測定装置、検査装置および光測定方法の実施の形態について、添付図面を参照して説明する。
【００３１】
図１に示す光測定装置１は、後述する「測定条件設定方法」に従って測定処理の条件を設定して測定対象光についての光学的パラメータの値を測定可能に構成された「光測定装置」の一例であって、レーザプロジェクタＬＰから出力されるレーザ光Ｌなどを「測定対象光」とする各種光学的パラメータの値を測定することが可能に構成されている。
【００３２】
この場合、レーザプロジェクタＬＰは、「光出力装置」の一例であって、動作モード（描画モード）に応じたリフレッシュレート（走査周期）でレーザ光Ｌを走査してスクリーン等に各種の画像（映像）を表示させることができるように構成されている。また、レーザプロジェクタＬＰは、リフレッシュレートと同期しているタイミング信号Ｓｔを外部装置に出力可能に構成されている。
【００３３】
光測定装置１は、受光部２、信号変換部３、操作部４、表示部５、処理部６および記憶部７を備え、レーザ光Ｌの光量（光パワー）、重心波長、波長幅（スペクトル波長幅）、および歪度などの各種光学的パラメータ（「予め規定された光学的パラメータ」の一例）を測定可能に構成されている。
【００３４】
なお、本例の光測定装置１は、実際には、受光部２に対するレーザ光Ｌの入射方向や入射量を規制するための光拡散部や、アパーチャおよび導光用の光ファイバなどを備えているが、これらの構成および機能については公知のため、図示および詳細な説明を省略する。また、上記のレーザプロジェクタＬＰは、赤色のレーザ光Ｌ、緑色のレーザ光Ｌ、および青色のレーザ光Ｌを出射して任意の色および明るさの画像を表示させる構成が採用されている。このため、実際の光測定装置１では、赤色のレーザ光Ｌ、緑色のレーザ光Ｌ、および青色のレーザ光Ｌについての光量をそれぞれ別個に特定することができるように構成されているが、「測定条件設定方法」の内容、および「光測定装置」の構成に関する理解を容易とするために、単色のレーザ光Ｌについての光学的パラメータを測定する構成を例に挙げて説明する。
【００３５】
受光部２は、「受光部」の一例であって、受光センサ２０ａ，２０ｂを備えている。また、受光センサ２０ａは、光学フィルタ２１，２２ａおよび光電変換部２３ａを備え、受光センサ２０ｂは、光学フィルタ２１，２２ｂおよび光電変換部２３ｂを備えて構成されている。なお、本例の光測定装置１では、１つの光学フィルタ２１を受光センサ２０ａ，２０ｂによって共用しているが、受光センサ２０ａ，２０ｂ毎に別個に光学フィルタ２１を設けてもよい。また、光電変換部２３ａは、光学フィルタ２１，２２ａを透過したレーザ光Ｌを受光可能に配設されて受光量に応じた検出信号Ｓｄ（「検出信号」の一例：一例として、レーザ光Ｌの受光量に応じて値が大きくなる電流信号）を出力し、光電変換部２３ｂは、光学フィルタ２１，２２ｂを透過したレーザ光Ｌを受光可能に配設されて受光量に応じた検出信号Ｓｄ（「検出信号」の一例）を出力する。
【００３６】
信号変換部３は、処理部６と相俟って「処理部」を構成する要素であって、Ｉ／Ｖ変換部およびＡ／Ｄ変換部（共に図示せず）を備えて検出信号Ｓｄを信号処理可能に構成されている。具体的には、信号変換部３は、各受光センサ２０ａ，２０ｂ（各光電変換部２３ａ，２３ｂ）から出力される検出信号ＳｄをそれぞれＩ／Ｖ変換することで得られる電圧信号を予め規定された周期でＡ／Ｄ変換することによって検出信号データＤｄを生成し、生成した検出信号データＤｄを処理部６に順次出力する。
【００３７】
操作部４は、測定処理の条件の設定操作や、測定処理の開始／停止を指示する各種の操作スイッチを備え、スイッチ操作に応じた操作信号を処理部６に出力する。表示部５は、処理部６の制御に従い、図示しない測定結果表示画面などを表示することにより、レーザプロジェクタＬＰからのレーザ光Ｌについての測定結果を報知する。
【００３８】
処理部６は、光測定装置１を総括的に制御する。この処理部６は、前述したように信号変換部３と相俟って「処理部」を構成し、レーザプロジェクタＬＰからタイミング信号Ｓｔ（「リフレッシュレートと同期しているタイミング信号」の一例）を取得して測定処理の条件の１つである後述の積分時間（測定時間：測定周期）などを設定して光学的パラメータを測定する。なお、測定処理の条件の設定や測定処理の手順の具体的な内容については、後に図面を参照して詳細に説明する。また、処理部６は、測定処理の結果を記録したり表示部５に表示させたりする。記憶部７は、処理部６の動作プログラムや、設定された条件を特定可能な測定条件データなどを記憶する。
【００３９】
次に、光測定装置１を用いたレーザ光Ｌについての測定処理について説明する。
【００４０】
まず、検査対象のレーザプロジェクタＬＰからタイミング信号Ｓｔを取得可能に光測定装置１をレーザプロジェクタＬＰに接続すると共に、一例としてレーザプロジェクタＬＰからのレーザ光Ｌによって各種の画像（映像）を表示するスクリーンの位置に光測定装置１を設置する。この場合、本例では、図２に示すように、一例として、レーザプロジェクタＬＰからのレーザ光Ｌによって画像（映像）を表示する表示範囲Ａのうちの位置Ｐａ（左上側）、位置Ｐｂ（右下側）および位置Ｐｃ（中央）の３箇所において光学的パラメータを測定する測定処理をそれぞれ実行するものとする。
【００４１】
まず、位置Ｐａにおける測定処理に際しては、レーザプロジェクタＬＰからのレーザ光Ｌが受光部２に対して照射されるように受光部２の受光面をレーザプロジェクタＬＰに向けて光測定装置１を位置Ｐａに設置すると共に、操作部４の電源スイッチ（図示せず）を走査して電源を投入する。この際には、受光部２の各受光センサ２０ａ，２０ｂから受光量に応じた検出信号Ｓｄがそれぞれ出力されると共に、信号変換部３によって検出信号データＤｄが生成されて処理部６に出力される状態となる。なお、レーザプロジェクタＬＰによる画像の表示が開始されていないこの時点においては、「光量＝０」に対応する検出信号データＤｄが信号変換部３から出力される状態となる。
【００４２】
次いで、レーザプロジェクタＬＰを動作チェックモードで動作させて測定用画像（一例として、表示範囲Ａの全域が白色の画像）の表示処理を開始させる。この際に、レーザプロジェクタＬＰは、測定用画像を表示させるためのレーザ光Ｌの出力（走査）を開始すると共に、光測定装置１に対してレーザ光Ｌの走査周期（リフレッシュレート）に同期したタイミング信号Ｓｔの出力を開始する。
【００４３】
続いて、操作部４を操作して測定処理の開始を指示する。この際に、処理部６は、測定処理の開始に先立ち、位置Ｐａにおける測定処理の条件を設定する処理を開始する。具体的には、処理部６は、図３に示すように、まず、レーザプロジェクタＬＰからタイミング信号Ｓｔが出力された時点ｔｔ１（「タイミング信号に基づいて特定される周期の始点」の一例）から、レーザプロジェクタＬＰによるレーザ光Ｌの走査に伴って位置Ｐａへのレーザ光Ｌの走査が開始される時点ｔｄａ（信号変換部３から検出信号データＤｄが所定の光量レベルを超える光量に対応する値に上昇したとき：「光測定装置に測定対象光が入射する時点」の一例）までの時間Ｔｄａ（「第１の時間長」の一例）を特定する（「第１の処理」の一例）。
【００４４】
次いで、処理部６は、測定処理の周期の時間長を規定する。具体的には、処理部６は、まず、上記の時点ｔｔ１、およびその次にタイミング信号Ｓｔが出力された時点ｔｔ２の間の時間長を特定し、レーザプロジェクタＬＰによるレーザ光Ｌの走査周期の時間長が時間Ｔｔであると特定する。また、処理部６は、一例として、利用者によって予め指定された条件に従い、レーザ光Ｌの走査周期（時間Ｔｔ）のＮ＝２倍の時間Ｔｍを測定処理の周期の時間長として規定する（「タイミング信号に基づいて特定される周期のＮ周期」がＮ＝２周期分の時間Ｔｍの例）。
【００４５】
続いて、処理部６は、タイミング信号Ｓｔの出力時点から測定処理を開始するまでの待機時間を規定する。具体的には、処理部６は、一例として、まず、タイミング信号Ｓｔ，Ｓｔに基づいて特定される周期の時間Ｔｔの（１／２）の時間Ｔｔｍを演算する。なお、本例では、この時間Ｔｔｍを演算する処理が、「タイミング信号に基づいて特定される周期の（１／Ｍ）の時間長としてタイミング信号に基づいて特定される周期の（１／２）の時間長を算出する」との処理に相当すると共に、「予め規定された加算時間算出方法に従って加算時間を算出する」との処理に相当する。また、処理部６は、算出した時間Ｔｔｍを時間Ｔｄａに加算し（「加算処理」の一例）、その演算結果である時間Ｔｗａ（「第２の時間長」の一例）を待機時間として規定する（「加算処理および減算処理のいずれか予め規定された一方」として「加算処理」を実行する「第２の処理」の一例）。
【００４６】
次いで、処理部６は、タイミング信号Ｓｔが出力された時点から時間Ｔｗａが経過した時点を測定処理の開始点として、時間Ｔｔの周期のＮ＝２周期分の時間Ｔｍに亘って、後述する光量の積算処理を実行するように測定処理の条件を設定する。以上により、条件の設定処理が完了し、位置Ｐａにおける測定処理を開始する準備が整う。なお、本例の光測定装置１では、一例として、上記の条件の設定が完了した時点以降に最初にタイミング信号Ｓｔが出力されたときに測定処理が自動的に開始される構成が採用されている。
【００４７】
具体的には、処理部６は、上記のように測定条件の設定が完了した時点以降に最初にタイミング信号Ｓｔが出力された時点ｔｔｎ１から、設定した待機時間である時間Ｔｗａが経過した時点ｔｍ１ａにおいて、信号変換部３からの検出信号データＤｄに基づいて特定される光量の積算を開始する。また、処理部６は、時点ｔｍ１ａから時間Ｔｍが経過した時点ｔｍ３ａにおいて光量の積算を終了する。これにより、時点ｔｍ１ａから時点ｔｍ３ａまでの時間Ｔｍ内に受光部２に対して入射したレーザ光Ｌの光量の積算値が求められる。
【００４８】
この場合、表示範囲Ａの左上側の位置Ｐａを測定対象部位としている本例では、図３に示す光量変化の例のように、レーザ光Ｌの走査周期（時間Ｔｔ）の始点寄りの時点において受光部２にレーザ光Ｌが入射することとなる。したがって、時間Ｔｍを規定したときの走査周期（時点ｔｔ１を始点とする走査周期）よりも、測定処理時の走査周期（時点ｔｔｎ１以降の各走査周期）の方が時間Ｔｇだけが短周期となり、位置Ｐａに向けてのレーザ光Ｌの出射タイミング（走査タイミング）が早まったときに、上記のような待機時間（時間Ｔｗａ）を設けずにタイミング信号Ｓｔの出力時点から時間Ｔｍに亘って光量を積算したときには、測定対象としている走査周期に続く走査周期内で位置Ｐａに出射されるレーザ光Ｌ光の光量が積算されてしまうおそれがある。
【００４９】
これに対して、前述した条件の設定により、タイミング信号Ｓｔの出力時点から時間Ｔｗａの待機時間を設けて時間Ｔｍに亘る積算を行う本例の構成・方法では、測定処理時の走査周期の方が時間Ｔｇだけ短周期となり、位置Ｐａに向けてのレーザ光Ｌの出射タイミングが早まった状態になったとしても、図３に一点鎖線で示す光量変化の例のように、測定対象としている走査周期（時点ｔｔｎ２ａを始点とする走査周期、および時点ｔｔｎ３ａを始点とする走査周期）に続く走査周期（時点ｔｔｎ４ａを始点とする走査周期）内で位置Ｐａに向けて出射されるレーザ光Ｌの光量が時間Ｔｍ内の積算結果に加算される事態が回避される。
【００５０】
この後、処理部６は、時間Ｔｍに亘って積算した光量の値に基づき、レーザ光Ｌの光量（光パワー）、重心波長、波長幅（スペクトル波長幅）、および歪度などの各種の光学的パラメータを演算する。以上により、位置Ｐａを測定対象部位とする一連の測定処理が完了する。
【００５１】
また、位置Ｐｂにおける測定処理に際しては、レーザプロジェクタＬＰからのレーザ光Ｌが受光部２に対して照射されるように受光部２の受光面をレーザプロジェクタＬＰに向けて光測定装置１を位置Ｐｂに設置して電源を投入すると共に、レーザプロジェクタＬＰによる測定用画像の表示処理を開始させる。なお、上記の位置Ｐａにおける測定処理時と同様の事項については説明を省略する。
【００５２】
次いで、操作部４の操作によって測定処理の開始が指示されたときに、処理部６は、測定処理の開始に先立ち、位置Ｐｂにおける測定処理の条件を設定する処理を開始する。具体的には、処理部６は、前述の位置Ｐａにおける測定処理の条件を設定したときと同様にして、図４に示すように、まず、レーザプロジェクタＬＰからタイミング信号Ｓｔが出力された時点ｔｔ１から、レーザプロジェクタＬＰによるレーザ光Ｌの走査に伴って位置Ｐｂへのレーザ光Ｌの走査が開始される時点ｔｄｂ（「光測定装置に測定対象光が入射する時点」の他の一例）までの時間Ｔｄｂ（「第１の時間長」の他の一例）を特定する（「第１の処理」の他の一例）。
【００５３】
次いで、処理部６は、測定処理の周期の時間長を規定する。具体的には、処理部６は、まず、レーザプロジェクタＬＰによるレーザ光Ｌの走査周期の時間長が時間Ｔｔであると特定する。また、処理部６は、一例として、利用者によって予め指定された条件に従い、レーザ光Ｌの走査周期（時間Ｔｔ）のＮ＝２倍の時間Ｔｍを測定処理の周期の時間長として規定する。
【００５４】
続いて、処理部６は、タイミング信号Ｓｔの出力時点から測定処理を開始するまでの待機時間を規定する。具体的には、処理部６は、一例として、まず、タイミング信号Ｓｔ，Ｓｔに基づいて特定される周期の時間Ｔｔの（１／２）の時間Ｔｔｍを演算する。また、処理部６は、算出した時間Ｔｔｍを時間Ｔｄｂに加算し（「加算処理」の他の一例）、その演算結果である時間Ｔｗｂ（「第２の時間長」の他の一例）を待機時間として規定する（「加算処理および減算処理のいずれか予め規定された一方」として「加算処理」を実行する「第２の処理」の他の一例）。
【００５５】
次いで、処理部６は、タイミング信号Ｓｔが出力された時点から時間Ｔｗｂが経過した時点を測定処理の開始点として、時間Ｔｔの周期のＮ＝２周期分の時間Ｔｍに亘って光量の積算処理を実行するように測定処理の条件を設定する。以上により、条件の設定処理が完了し、位置Ｐｂにおける測定処理を開始する準備が整う。
【００５６】
次いで、処理部６は、上記のように測定条件の設定が完了した時点以降に最初にタイミング信号Ｓｔが出力された時点ｔｔｎ１から、設定した待機時間である時間Ｔｗｂが経過した時点ｔｍ１ｂにおいて、信号変換部３からの検出信号データＤｄに基づいて特定される光量の積算を開始する。また、処理部６は、時点ｔｍ１ｂから時間Ｔｍが経過した時点ｔｍ３ｂにおいて光量の積算を終了する。これにより、時点ｔｍ１ｂから時点ｔｍ３ｂまでの時間Ｔｍ内に受光部２に対して入射したレーザ光Ｌの光量の積算値が求められる。
【００５７】
この場合、表示範囲Ａの右下側の位置Ｐｂを測定対象部位としている本例では、図４に実線で示す光量変化の例のように、レーザ光Ｌの走査周期（時間Ｔｔ）の終点寄りの時点において受光部２にレーザ光Ｌが入射することとなる。したがって、時間Ｔｍを規定したときの走査周期（時点ｔｔ１を始点とする走査周期）よりも、測定処理時の走査周期（時点ｔｔｎ１以降の各走査周期）の方が時間Ｔｇだけが長周期となり、位置Ｐｂに向けてのレーザ光Ｌの出射タイミング（走査タイミング）に遅れが生じたときに、上記のような待機時間（時間Ｔｗｂ）を設けずにタイミング信号Ｓｔの出力時点から時間Ｔｍに亘って光量を積算したときには、前述したように、測定対象としている走査周期内でレーザプロジェクタＬＰから出射され始めたレーザ光Ｌの光量の一部（または、すべて）が積算されない状態となってしまうおそれがある。
【００５８】
これに対して、前述した条件の設定により、タイミング信号Ｓｔの出力時点から時間Ｔｗｂの待機時間を設けて時間Ｔｍに亘る積算を行う本例の構成・方法では、測定処理時の走査周期の方が時間Ｔｇだけ長周期となり、位置Ｐｂに向けてのレーザ光Ｌの出射タイミングに遅れが生じたとしても、図４に二点鎖線で示す光量変化の例のように、測定対象としている走査周期（時点ｔｔｎ２ｂを始点とする走査周期、および時点ｔｔｎ３ｂを始点とする走査周期）内で出射されたレーザ光Ｌの光量が時間Ｔｍ内の積算結果に加算されない状態となる事態が回避される。
【００５９】
この後、処理部６は、時間Ｔｍに亘って積算した光量の値に基づき、レーザ光Ｌの光量（光パワー）、重心波長、波長幅（スペクトル波長幅）、および歪度などの各種の光学的パラメータを演算する。以上により、位置Ｐｂを測定対象部位とする一連の測定処理が完了する。
【００６０】
また、位置Ｐｃにおける測定処理に際しては、レーザプロジェクタＬＰからのレーザ光Ｌが受光部２に対して照射されるように受光部２の受光面をレーザプロジェクタＬＰに向けて光測定装置１を位置Ｐｃに設置して電源を投入すると共に、レーザプロジェクタＬＰによる測定用画像の表示処理を開始させる。なお、上記の位置Ｐａ，Ｐｂにおける測定処理時と同様の事項については説明を省略する。
【００６１】
次いで、操作部４の操作によって測定処理の開始が指示されたときに、処理部６は、測定処理の開始に先立ち、位置Ｐｃにおける測定処理の条件を設定する処理を開始する。具体的には、処理部６は、前述の位置Ｐａ，Ｐｂにおける測定処理の条件を設定したときと同様にして、図５に示すように、まず、レーザプロジェクタＬＰからタイミング信号Ｓｔが出力された時点ｔｔ１から、レーザプロジェクタＬＰによるレーザ光Ｌの走査に伴って位置Ｐｃへのレーザ光Ｌの走査が開始される時点ｔｄｃ（「光測定装置に測定対象光が入射する時点」のさらに他の一例）までの時間Ｔｄｃ（「第１の時間長」のさらに他の一例）を特定する（「第１の処理」のさらに他の一例）。
【００６２】
次いで、処理部６は、測定処理の周期の時間長を規定する。具体的には、処理部６は、まず、レーザプロジェクタＬＰによるレーザ光Ｌの走査周期の時間長が時間Ｔｔであると特定する。また、処理部６は、一例として、利用者によって予め指定された条件に従い、レーザ光Ｌの走査周期（時間Ｔｔ）のＮ＝２倍の時間Ｔｍを測定処理の周期の時間長として規定する。
【００６３】
続いて、処理部６は、タイミング信号Ｓｔの出力時点から測定処理を開始するまでの待機時間を規定する。具体的には、処理部６は、一例として、まず、タイミング信号Ｓｔ，Ｓｔに基づいて特定される周期の時間Ｔｔの（１／２）の時間Ｔｔｍを演算する。また、処理部６は、算出した時間Ｔｔｍを時間Ｔｄｃに加算し（「加算処理」のさらに他の一例）、その演算結果である時間Ｔｗｃ（「第２の時間長」のさらに他の一例）を待機時間として規定する（「加算処理および減算処理のいずれか予め規定された一方」として「加算処理」を実行する「第２の処理」のさらに他の一例）。
【００６４】
次いで、処理部６は、タイミング信号Ｓｔが出力された時点から時間Ｔｗｃが経過した時点を測定処理の開始点として、時間Ｔｔの周期のＮ＝２周期分の時間Ｔｍに亘って光量の積算処理を実行するように測定処理の条件を設定する。以上により、条件の設定処理が完了し、位置Ｐｃにおける測定処理を開始する準備が整う。
【００６５】
次いで、処理部６は、上記のように測定条件の設定が完了した時点以降に最初にタイミング信号Ｓｔが出力された時点ｔｔｎ１から、設定した待機時間である時間Ｔｗｃが経過した時点ｔｍ１ｃにおいて、信号変換部３からの検出信号データＤｄに基づいて特定される光量の積算を開始する。また、処理部６は、時点ｔｍ１ｃから時間Ｔｍが経過した時点ｔｍ３ｃにおいて光量の積算を終了する。これにより、時点ｔｍ１ｃから時点ｔｍ３ｃまでの時間Ｔｍ内に受光部２に対して入射したレーザ光Ｌの光量の積算値が求められる。
【００６６】
この場合、詳細な説明を省略するが、表示範囲Ａの中央の位置Ｐｃを測定対象部位としている本例においても、走査周期が短周期となったり長周期となったりしたときに、測定対象としている走査周期に続く走査周期内で位置Ｐｃに向けて出射されるレーザ光Ｌの光量（一点鎖線で示す光量変化の例）が時間Ｔｍ内の積算結果に加算される事態や、測定対象としている走査周期内で出射されたレーザ光Ｌの光量（二点鎖線で示す光量変化の例）が時間Ｔｍ内の積算結果に加算されない状態となる事態が回避される。
【００６７】
この後、処理部６は、時間Ｔｍに亘って積算した光量の値に基づき、レーザ光Ｌの光量（光パワー）、重心波長、波長幅（スペクトル波長幅）、および歪度などの各種の光学的パラメータを演算する。以上により、位置Ｐｃを測定対象部位とする一連の測定処理が完了する。
【００６８】
一方、タイミング信号Ｓｔの出力時点から測定処理（光量の積算処理）を開始するまでの待機時間（第２の時間）の特定に際して「加算処理」を実行する構成・方法について説明したが、このような構成・方法に代えて、「減算処理」によって待機時間（第２の時間）を特定する構成・方法を採用することもできる。
【００６９】
例えば、位置Ｐｂにおける測定処理に際して待機時間を「減算処理」によって特定するときに、処理部６は、図６に示すように、まず、前述した「加算処理」による待機時間の特定時と同様にして、レーザプロジェクタＬＰからタイミング信号Ｓｔが出力された時点ｔｔ１から、レーザプロジェクタＬＰによるレーザ光Ｌの走査に伴って位置Ｐｂへのレーザ光Ｌの走査が開始される時点ｔｄｂまでの時間Ｔｄｂ（「第１の時間長」の一例）を特定する（「第１の処理」の一例）。次いで、処理部６は、測定処理の周期の時間長が時間Ｔｔであると特定すると共に、一例として、利用者によって予め指定された条件に従い、レーザ光Ｌの走査周期（時間Ｔｔ）のＮ＝２倍の時間Ｔｍを測定処理の周期の時間長として規定する。
【００７０】
続いて、処理部６は、タイミング信号Ｓｔ，Ｓｔに基づいて特定される周期の時間Ｔｔの（１／２）の時間Ｔｔｍを演算する。なお、本例では、この時間Ｔｍを演算する処理が、「タイミング信号に基づいて特定される周期の（１／Ｍ）の時間長としてタイミング信号に基づいて特定される周期の（１／２）の時間長を算出する」との処理に相当すると共に、「予め規定された減算時間算出方法に従って減算時間を算出する」との処理に相当する。また、処理部６は、算出した時間Ｔｔｍを時間Ｔｄｂから減算し（「減算処理」の一例）、その演算結果である時間Ｔｗｄ（「第２の時間長」のさらに他の一例）を待機時間として規定する（「加算処理および減算処理のいずれか予め規定された一方」として「減算処理」を実行する「第２の処理」の一例）。
【００７１】
次いで、処理部６は、タイミング信号Ｓｔが出力された時点から時間Ｔｗｄが経過した時点を測定処理の開始点として、時間Ｔｔの周期のＮ＝２周期分の時間Ｔｍに亘って光量の積算処理を実行するように測定処理の条件を設定する。以上により、条件の設定処理が完了し、位置Ｐｂにおける測定処理を開始する準備が整う。
【００７２】
次いで、処理部６は、上記のように測定条件の設定が完了した時点以降に最初にタイミング信号Ｓｔが出力された時点ｔｔｎ１から、設定した待機時間である時間Ｔｗｄが経過した時点ｔｍ１ｄにおいて、信号変換部３からの検出信号データＤｄに基づいて特定される光量の積算を開始する。また、処理部６は、時点ｔｍ１ｄから時間Ｔｍが経過した時点ｔｍ３ｄにおいて光量の積算を終了する。これにより、時点ｔｍ１ｄから時点ｔｍ３ｄまでの時間Ｔｍ内に受光部２に対して入射したレーザ光Ｌの光量の積算値が求められる。
【００７３】
この場合、詳細な説明を省略するが、位置Ｐｂを測定対象部位とし、待機時間の特定（第２の処理）に際して「減算処理」を実行する本例において、走査周期が短周期となったり長周期となったりしたときに、測定対象としている走査周期に続く走査周期内で位置Ｐｂに向けて出射されるレーザ光Ｌの光量（一点鎖線で示す光量変化の例）が時間Ｔｍ内の積算結果に加算される事態や、測定対象としている走査周期内で出射されたレーザ光Ｌの光量（二点鎖線で示す光量変化の例）が時間Ｔｍ内の積算結果に加算されない状態となる事態が回避される。
【００７４】
この後、処理部６は、時間Ｔｍに亘って積算した光量の値に基づき、レーザ光Ｌの光量（光パワー）、重心波長、波長幅（スペクトル波長幅）、および歪度などの各種の光学的パラメータを演算する。以上により、位置Ｐｂを測定対象部位とする一連の測定処理が完了する。
【００７５】
このように、この光測定装置１、およびその測定条件設定方法では、レーザプロジェクタＬＰにおけるリフレッシュレート（レーザ光Ｌの走査周期）と同期しているタイミング信号Ｓｔを取得してタイミング信号Ｓｔに基づいて特定される周期（時間Ｔｔの周期）の始点から光測定装置１にレーザ光Ｌが入射する時点までの「第１の時間長」を特定する「第１の処理」と、予め規定された「加算時間算出方法」に従って算出した「加算時間」を「第１の時間長」に加算する「加算処理」、および予め規定された「減算時間算出方法」に従って算出した「減算時間」を「第１の時間長」から減算する「減算処理」のいずれか予め規定された一方を実行して「第２の時間長」を特定する「第２の処理」とを実行し、タイミング信号Ｓｔが出力された時点から「第２の時間長」が経過した時点を測定処理の開始点として、タイミング信号Ｓｔに基づいて特定される周期のＮ周期（本例では、Ｎ＝２周期分の時間Ｔｍ）に亘って光学的パラメータの値を測定する（レーザ光Ｌの光量を積算する）ように測定処理の条件を設定する。
【００７６】
したがって、この光測定装置１、およびその測定条件設定方法によれば、タイミング信号Ｓｔの出力時点から、「第２の時間長」が経過した時点において測定処理（光量の積算処理）を開始することで、測定処理の時間長（積分時間の時間長）を特定するときのレーザプロジェクタＬＰのリフレッシュレートと、測定処理時におけるレーザプロジェクタＬＰのリフレッシュレートとが相違する状態になったとしても、Ｎ周期の次の周期で出力されるレーザ光Ｌが測定されたり（Ｎ周期の次の周期で出力されるレーザ光Ｌの光量が積算されたり）、Ｎ周期内で出力されるレーザ光Ｌが測定されなかったり（Ｎ周期内で出力されるレーザ光Ｌの光量が積算されなかったり）して、測定される光学的パラメータの値が不正確となる事態を好適に回避して正確な値を測定することができる。
【００７７】
また、この光測定装置１、およびその測定条件設定方法では、「第２の処理」において「加算処理」を実行するときに、「加算時間算出方法」として、タイミング信号Ｓｔに基づいて特定される周期の（１／Ｍ）の時間長Ｔｔｍ（本例では、（１／Ｍ）＝（１／２）の時間長）を「加算時間」として算出する。したがって、この光測定装置１、およびその測定条件設定方法によれば、「加算時間」を容易に算出することができるため、「第２の時間長」を短時間で特定することができる。また、光測定装置１において「加算時間」を演算する構成を採用している本例では、処理部６が「第２の時間長」を特定するのに要する負担が小さいため、他の処理と並行して「第２の処理」を実行するために高性能な「処理部」を搭載しなくても測定処理の条件を設定できる結果、光測定装置１の製造コストの高騰を回避することができる。
【００７８】
また、この光測定装置１、およびその測定条件設定方法では、「第２の処理」において「減算処理」を実行するときに、「減算時間算出方法」として、タイミング信号Ｓｔに基づいて特定される周期の（１／Ｍ）の時間長Ｔｔｍ（本例では、（１／Ｍ）＝（１／２）の時間長）を「減算時間」として算出する。したがって、この光測定装置１、およびその測定条件設定方法によれば、「減算時間」を容易に算出することができるため、「第２の時間長」を短時間で特定することができる。また、光測定装置１において「減算時間」を演算する構成を採用している本例では、処理部６が「第２の時間長」を特定するのに要する負担が小さいため、他の処理と並行して「第２の処理」を実行するために高性能な「処理部」を搭載しなくても測定処理の条件を設定できる結果、光測定装置１の製造コストの高騰を回避することができる。
【００７９】
さらに、この光測定装置１、およびその測定条件設定方法では、タイミング信号Ｓｔに基づいて特定される周期の（１／Ｍ）の時間長としてタイミング信号Ｓｔに基づいて特定される周期の（１／２）の時間長を算出する。したがって、この光測定装置１、およびその測定条件設定方法によれば、測定処理の時間長（積分時間の時間長）を特定するときのレーザプロジェクタＬＰのリフレッシュレートと、測定処理時におけるレーザプロジェクタＬＰのリフレッシュレートとが同程度のときに、「第１の時間長」の長短に拘わらず、測定処理の始点からタイミング信号Ｓｔに基づいて特定される周期の中程で受光部２にレーザ光Ｌが入射するように測定処理の条件が設定される。これにより、Ｎ周期の次の周期で出力されるレーザ光Ｌが測定されたり、Ｎ周期内で出力されるレーザ光Ｌが測定されなかったりする状態にならない「リフレッシュレートの変動許容量」に関し、測定処理の時間長を特定したときのリフレッシュレートよりも短周期となったとき、および測定処理の時間長を特定したときのリフレッシュレートよりも長周期となったときの双方について同程度の量が存在する条件が設定されるため、測定される光学的パラメータの値が不正確となる可能性を十分に低減することができる。
【００８０】
なお、「測定条件設定方法」の手順や「光測定装置」の構成については、上記の光測定装置１による処理手順や構成の例に限定されない。例えば、処理部６が測定処理の開始に先立って条件を自動的に設定する構成・方法を例に挙げて説明したが、このような構成・方法に代えて、「第２の処理」については利用者が行い、光測定装置１の外部で演算した「第２の時間長」を光測定装置１に入力する（待機時間を利用者が定める）構成・方法を採用することもできる。
【００８１】
また、表示範囲Ａ内における複数箇所（上記の例では、位置Ｐａ〜Ｐｃの３箇所）において測定処理を実行するときに、それぞれ別個に測定処理を行う例について説明したが、複数台の光測定装置１を位置Ｐａ〜Ｐｃにそれぞれ設置してそれぞれの位置における測定処理を同時に並行して実行したり、測定対象部位の数（本例では、位置Ｐａ〜Ｐｃの３つ）に応じた複数の受光部２および信号変換部３を備えて光測定装置１を構成し、各信号変換部３からの検出信号データＤｄを並行して処理することでそれぞれの位置における測定処理を同時に並行して実行したりすることもできる。
【００８２】
また、「タイミング信号に基づいて特定される周期のＮ周期に亘って光学的パラメータの値を測定する」との事項に関し、時間Ｔｔの２周期（Ｎ＝２の例）に相当する時間Ｔｍに亘って積算した光量に基づいて光学的パラメータを演算する例について説明したが、時間ＴｔのＮ＝１周期（すなわち、時間Ｔｔ）に亘って光学的パラメータの値を測定したり、時間ＴｔのＮ＝３周期以上に亘って光学的パラメータの値を測定したりする構成・方法を採用することもできる。
【００８３】
さらに、「タイミング信号に基づいて特定される周期の（１／Ｍ）の時間長を加算時間（減算時間）として算出する」との事項に関し、時間Ｔｔの１／２（Ｍ＝２の例）に相当する時間Ｔｔｍを算出する例について説明したが、時間Ｔｔの（１／３）の時間長（Ｍ＝３の例）や、時間Ｔｔの（１／４）の時間長（Ｍ＝４の例）を「加算時間」や「減算時間」として算出する構成・方法を採用することもできる。この場合、Ｍの値が大き過ぎると「加算時間」や「減算時間」が「第１の時間」と同程度となってしまうため、Ｍの値については、できるだけ小さな値とするのが好ましい。
【００８４】
また、「光出力装置」としてのレーザプロジェクタＬＰからのレーザ光Ｌを「測定対象光」として光学的パラメータを測定する例について説明したが、「光出力装置から出力される測定対象光」は、レーザプロジェクタＬＰから出射されるレーザ光Ｌに限定されず、ＣＲＴ、液晶表示器および有機ＥＬ表示器などの各種表示器や、蛍光管やＬＥＤ等の各種光源を有する照明器具などの「所定のリフレッシュレートで光を出力する光出力装置」からの各種の光を「測定対象光」として光学的パラメータを測定する場合においても、「測定条件設定方法」の手順や「光測定装置」の構成を採用することで、前述した効果と同様の効果を奏することができる。
【００８５】
さらに、光学的パラメータとして「光量」、「重心波長」、「波長幅」および「歪度」などを測定する例について説明したが、その他の任意の光学的パラメータを測定する構成・方法を採用することもできる。
【符号の説明】
【００８６】
１  光測定装置
２  受光部
３  信号変換部
４  操作部
５  表示部
６  処理部
７  記憶部
２０ａ，２０ｂ  受光センサ
２１，２２ａ，２２ｂ  光学フィルタ
２３ａ，２３ｂ  光電変換部
Ａ  表示範囲
Ｄｄ  検出信号データ
Ｌ  レーザ光
ＬＰ  レーザプロジェクタ
Ｐａ〜Ｐｃ  位置
Ｓｄ  検出信号
Ｓｔ  タイミング信号
ｔｄａ〜ｔｄｃ，ｔｍ１ａ，ｔｍ２ａ・・，ｔｍ１ｂ，ｔｍ２ｂ・・，ｔｍ１ｃ，ｔｍ２ｃ・・，ｔｍ１ｄ，ｔｍ２ｄ・・，ｔｔ１，ｔｔ２・・  時点
Ｔｄａ〜Ｔｄｃ，Ｔｍ，Ｔｔ，Ｔｔｍ，Ｔｗａ〜Ｔｗｄ，Ｔｇ  時間
【図１】
2019100868.tif 000003
【図２】
2019100868.tif 000004
【図３】
2019100868.tif 000005
【図４】
2019100868.tif 000006
【図５】
2019100868.tif 000007
【図６】
2019100868.tif 000008
【図７】
2019100868.tif 000009
【図８】
2019100868.tif 000010